(57)【特許請求の範囲】
【請求項１】
鉄筋を埋設したコンクリート構造物のコンクリート打設前の型枠に設けた取付け孔にアンカー本体を挿入可能なスネークインサートアンカーボルトであって、
前記アンカー本体は、
前記コンクリート構造物の取付け面と同一平面上に取り付け可能で、かつ軸芯を直線状に形成した雌ねじ部と、
前記雌ねじ部の端部を折り曲げた第１屈曲部と、
前記第１屈曲部から延びる第１シャフトと、
前記第１シャフトの端部を折り曲げた第２屈曲部と、
前記第２屈曲部から延びる第２シャフトと、
からなり、
前記アンカー本体を前記取付け孔の外側から前記鉄筋側へ向けて回転させながら挿入可能としたことを特徴とするスネークインサートアンカーボルト。
【請求項２】
前記アンカー本体は、
前記雌ねじ部の直線状の軸心を互いに直交するＸ１Ｙ１Ｚ１軸のＺ１軸上に配置し、かつ前記第１屈曲部の中心を原点に配置して、Ｘ１Ｙ１平面上でＸ１軸方向からＹ１軸方向へθ１°、前記Ｘ１Ｙ１平面に対して−Ｚ１軸方向へθ２°折り曲げて、前記第１シャフトを形成し、
前記第２屈曲部の中心を、互いに直交し、かつそれぞれがＸ１Ｙ１Ｚ１軸に平行なＸ２Ｙ２Ｚ２軸の原点に配置したときに、Ｘ２Ｙ２平面上でＸ２軸方向からＹ２軸方向へθ３°、前記Ｘ２Ｙ２平面に対して−Ｚ２軸方向へθ４°折り曲げて、前記第２シャフトを形成し、
前記θ１〜θ４は、
０°＜｜θ１、θ２、θ３、θ４｜＜９０°
の範囲に設定したことを特徴とする請求項１に記載のスネークインサートアンカーボルト。
【請求項３】
前記アンカー本体は、前記雌ねじ部の軸芯を互いに直交するＸ１Ｙ１Ｚ１軸のＺ１軸上に配置したときにＸ１Ｙ１平面への投影図でＺ１軸を中心として直交するＸ１軸とＹ１軸で４つの象限に区切ったうちいずれか１つの象限に前記第２シャフトの先端までが収まることを特徴とする請求項１又は２に記載のスネークインサートアンカーボルト。
【請求項４】
前記第１シャフト又は第２シャフトは、直線状又は曲線状に形成していることを特徴とする請求項１ないし３のいずれか１項に記載のスネークインサートアンカーボルト。
【発明の詳細な説明】
【技術分野】
【０００１】
本発明は、鉄筋を埋設したコンクリート構造物のコンクリート打設前の鉄筋の間に取付け可能なスネークインサートアンカーボルトに関する。
【背景技術】
【０００２】
従来、鉄筋を埋設したコンクリート構造物にアンカーボルトを取り付けるアンカー定着工法として、先付け工法と後付け工法が知られている。
先付け工法は、コンクリート構造物を構成する鉄筋を組み立てた後、又は鉄筋の周辺に型枠を組み立てた後、コンクリートを型枠に流し込む前にアンカーボルトを鉄筋の間に取り付けて、コンクリート打設と同時に定着させる工法である。
【０００３】
一方、後付け工法は、前述の型枠にコンクリートを流し込み、養生期間を経て所定の強度以上になったコンクリート構造物が形成された後、あとからコンクリートの表面に穴を開けて、この穴にアンカーボルトを定着させる工法である。
【０００４】
特許文献１に開示のアンカーボルトは、先付け工法に用いるアンカーボルトであって、杆体の上端部に形成したナット螺合用の螺糸と、杆体の下端部に所定長さに亘って、杆体の軸に沿って波状に屈曲した波状屈曲部とを備えている。このような構成のアンカーボルトによれば、埋設するアンカーボルトの軸に沿った位置にコンクリート構造体の横方向の鉄筋が既に配筋されている場合でも、アンカーボルトの軸中心に適宜回動して、波状屈曲部の凹部を鉄筋に合わせることにより、鉄筋の位置をずらすことなくアンカーボルトを設置することができる。
【先行技術文献】
【特許文献】
【０００５】
【特許文献１】実開平６−５４８０３号公報
【発明の概要】
【発明が解決しようとする課題】
【０００６】
図５は従来のインサートアンカーボルトの説明図である。図示のように従来のインサートアンカーボルト１は軸芯が直線状に形成されている。このようなインサートアンカーボルト１を、鉄筋２と型枠３を組み合わせた施工箇所に施工する場合、Ａ点のような、取付け孔４ａから挿入して鉄筋２と接触しない箇所であれば、取り付けることができる。しかしＢ点のように、取付け孔４ｂを通り、取付け面と直交する直線上に鉄筋２が存在する場合には、インサートアンカーボルト１と鉄筋２が接触してしまい途中までしか挿入することができず、取り付けることができない。この場合、インサートアンカーボルト１の施工箇所を鉄筋２と遭遇しない箇所まで移動させることになり、設計変更を余儀なくされていた。
【０００７】
コンクリート構造物の一例として病院がある。病院では種々の測定機械、器具、薬品棚がある。地震等により転倒防止対策のために、測定機械、器具、薬品棚を天井、壁、床などのコンクリート構造物に固定することがある。固定対象物が重量物の場合には、強固に固定する必要がある。取付け孔を通り、取付け面と直交する直線上に鉄筋が存在する場合であっても固定することができるアンカーボルトが望まれている。
【０００８】
また、アンカーボルトは、図５に示すように型枠３で鉄筋２を囲った後の方が位置決めがし易い。この場合、型枠３に囲まれた空間は外から見ることができず、取付け孔の軸線上に鉄筋２が存在するか否かが判断できない。そのため、取付け孔の軸線上に鉄筋が存在する場合には、再度位置をずらして取付け孔を形成していた。特許文献１に開示のアンカーボルトは、杆体が長尺であり、波状屈曲部の形状であるため、形態上型枠の取付け孔から挿入することができない。また波状屈曲部の凹部が複数形成されているため、回動する際に鉄筋と接触する可能性が高くなる。
【０００９】
そこで本発明は、鉄筋を埋設したコンクリート構造物の取付け箇所に存在する鉄筋と接触しないように取付け可能なスネークインサートアンカーボルトを提供することを目的とする。
【課題を解決するための手段】
【００１０】
本発明のスネークインサートアンカーボルトは、鉄筋を埋設したコンクリート構造物のコンクリート打設前の型枠に設けた取付け孔にアンカー本体を挿入可能なスネークインサートアンカーボルトであって、前記アンカー本体は、前記コンクリート構造物の取付け面と同一平面上に取り付け可能で、かつ軸芯を直線状に形成した雌ねじ部と、前記雌ねじ部の端部を折り曲げた第１屈曲部と、前記第１屈曲部から延びる第１シャフトと、前記第１シャフトの端部を折り曲げた第２屈曲部と、前記第２屈曲部から延びる第２シャフトと、からなり、前記雌ねじ部は軸芯を直線状に形成し、前記アンカー本体を前記取付け孔の外側から前記鉄筋側へ向けて回転させながら挿入可能としたことを特徴としている。
【００１１】
この場合において、前記アンカー本体は、前記雌ねじ部の直線状の軸心を互いに直交するＸ１Ｙ１Ｚ１軸のＺ１軸上に配置し、かつ前記第１屈曲部の中心を原点に配置して、Ｘ１Ｙ１平面上でＸ１軸方向からＹ１軸方向へθ１°、前記Ｘ１Ｙ１平面に対して−Ｚ１軸方向へθ２°折り曲げて、前記第１シャフトを形成し、前記第２屈曲部の中心を、互いに直交し、かつそれぞれがＸ１Ｙ１Ｚ１軸に平行なＸ２Ｙ２Ｚ２軸の原点に配置したときに、Ｘ２Ｙ２平面上でＸ２軸方向からＹ２軸方向へθ３°、前記Ｘ２Ｙ２平面に対して−Ｚ２軸方向へθ４°折り曲げて、前記第２シャフトを形成し、前記θ１〜θ４は、０°＜｜θ１、θ２、θ３、θ４｜＜９０°の範囲に設定したことを特徴としている。
【００１２】
前記アンカー本体は、前記雌ねじ部の軸芯を互いに直交するＸ１Ｙ１Ｚ１軸のＺ１軸上に配置したときにＸ１Ｙ１平面への投影図でＺ１軸を中心として直交するＸ１軸とＹ１軸で４つの象限に区切ったうちいずれか１つの象限に前記第２シャフトの先端までが収まることを特徴としている。
前記第１シャフト又は第２シャフトは、直線状又は曲線状に形成していることを特徴としている。
【発明の効果】
【００１３】
本発明のスネークインサートアンカーボルトによれば、取付け孔を通り、取付け面と直交する線上に鉄筋が存在しても、容易に取り付けることができる。また取付け孔から鉄筋を巻き込むように側面視で略Ｓ字状に形成しているので、コンクリートとの接触面積が増えるとともに、引っ張り強度を高めることができる。
【００１４】
よって病院などのコンクリート構造物で、取付け孔を通り、取付け面と直交する直線上に鉄筋が存在する場合であっても、種々の測定機械、器具、薬品棚等を容易かつ所定の強度を備えながら固定することができる。
【図面の簡単な説明】
【００１５】
【図１】本実施形態に係るスネークインサートアンカーボルトの施工断面図である。
【図２】本実施形態に係るスネークインサートアンカーボルトの斜視図である。
【図３】本実施形態に係るスネークインサートアンカーボルトの平面図である。
【図４】本実施形態に係るスネークインサートアンカーボルトの側面図である。
【図５】従来のインサートアンカーボルトの説明図である。
【発明を実施するための形態】
【００１６】
本発明のスネークインサートアンカーボルトについて添付の図面を参照しながら、以下詳細に説明する。
本実施形態のスネークインサートアンカーボルト１０は、特にコンクリート構造物３０の施工時にコンクリート３４を打設する前の鉄筋３２の間に取り付ける先付け工法に適用可能なボルトである。コンクリート構造物３０は、複数の鉄筋３２をコンクリート３４中に埋設した構造物である。
【００１７】
図１は本実施形態に係るスネークインサートアンカーボルトの施工断面図である。図示のようにスネークインサートアンカーボルト１０は、側面視で略Ｓ字状に折り曲げたアンカー本体１２から構成されている。
【００１８】
アンカー本体１２は、コンクリート構造物３０の取付け面と同一平面上に取り付け可能な雌ねじ部２０と、雌ねじ部２０の雌ねじが形成されていない側の端部を折り曲げた第１屈曲部２２と、第１屈曲部２２から雌ねじ部２０と反対方向へ延びる第１シャフト２４と、第１シャフト２４の端部を折り曲げた第２屈曲部２６と、第２屈曲部２６から第１シャフト２４と反対方向へ延びる第２シャフト２８と、から構成されている。アンカー本体１２のシャフト径は、型枠３６の取付け孔３８の孔径よりも小さくして、挿入可能な構成としている。
【００１９】
アンカー本体１２の取付け側の端部には、雌ねじ部２０が形成されている。雌ねじ部２０は、留め治具４０と螺合可能な凹部に雌ねじが形成されている。雌ねじ部２０は軸芯を直線状に形成している。雌ねじ部２０の凹部端面は、コンクリート構造物３０の取付け面と同一平面上に取り付けることができる。アンカー本体１２は、コンクリート構造物３０の鉄筋３２と遭遇したときに回避できるように、かつ型枠３６の取付け孔３８から挿入できるように側面視で略Ｓ字状に折り曲げている。
【００２０】
図２は本実施形態に係るスネークインサートアンカーボルトの斜視図である。図３は本実施形態に係るスネークインサートアンカーボルトの平面図である。図４は本実施形態に係るスネークインサートアンカーボルトの側面図である。
【００２１】
図示のように、アンカー本体１２の第１屈曲部２２は、当該第１屈曲部２２の中心を互いに直交するＸ１Ｙ１Ｚ１軸のＺ１軸上に配置したときに、Ｘ１Ｙ１平面に対してＸ１軸方向からＹ１軸方向へθ１°、Ｘ１Ｙ１平面に対して−Ｚ１軸方向へθ２°折り曲げている。これにより、第１シャフト２４は、雌ねじ部２０の端部から、θ１＋θ２のベクトル成分の和の方向へ延出している。
【００２２】
前記第２屈曲部２６は、当該第２屈曲部２６の中心を互いに直交するＸ２Ｙ２Ｚ２軸のＺ２軸上に配置したときに、Ｘ２Ｙ２平面に対して前記θ１と同一方向となるＸ２軸方向からＹ２軸方向へθ３°、前記Ｘ２Ｙ２平面に対して−Ｚ２軸方向へθ４°折り曲げている。これにより、第２シャフト２８は、第１シャフト２４の端部から、θ３＋θ４のベクトル成分の和の方向へ延出している。
このとき、θ１〜θ４は、それぞれ０°＜｜θ１、θ２、θ３、θ４｜＜９０°の範囲となるように設定している。
【００２３】
またアンカー本体１２は、第１屈曲部２２の軸芯を互いに直交するＸ１Ｙ１Ｚ１軸のＺ１軸上に配置してＸ１Ｙ１平面で平面視したときに、雌ねじ部２０を中心としてＺ１軸回りに回転して第２シャフト２８の先端までが１／４回転以内に収まるように設定している。ここで、図３に示す実線のアンカー本体１２は、雌ねじ部２０から第２シャフト２８の先端を、Ｘ１Ｙ１平面に対して時計回りに形成した場合を示している。また図３に示す点線のアンカー本体１２は、雌ねじ部２０から第２シャフト２８の先端を、Ｘ１Ｙ１平面に対して反時計回りに形成した場合を示している。このように本実施形態のスネークインサートアンカーボルト１０は、雌ねじ部２０をＸ１Ｙ１Ｚ１軸のＺ１軸上に配置したときに、時計回り、反時計回りのいずれの回転方向であってもよい。また図４に示すように、第１シャフト２４は、側面視でＸ１Ｙ１平面よりも下側（−Ｚ軸側）へ延出し、第２シャフト２８は、側面視でＸ２Ｙ２平面よりも下側（−Ｚ軸側）へ延出している。
また第１シャフト２４又は第２シャフト２８は、軸芯を直線状又は曲線状に形成している。
【００２４】
本実施形態のアンカー本体１２は、一例として金属材料を用いて形成されている。アンカー本体１２の材質はこれに限らず、所定の剛性を備えていれば、他の材料を適用することもできる。
【００２５】
図１に示すスネークインサートアンカーボルト１０の断面形状は円形で説明している。しかしスネークインサートアンカーボルト１０の断面形状はこれに限らず、楕円、多角形など取付け孔から挿入可能な断面形状であれば適用することができる。
【００２６】
また図１に示すスネークインサートアンカーボルト１０の表面は鉄筋形状で説明している。しかしスネークインサートアンカーボルト１０の表面はこれに限らず、平滑、凹凸、外ねじなども適用することができる。
【００２７】
留め治具４０は、アンカー本体１２の取付け側の端面に形成された雌ねじ部２０と螺合する治具である。留め治具４０は、治具本体４２に雌ねじ部２０と螺合する雄ねじ４４とツバ部４６を備えている。治具本体４２は、型枠３６の取付け孔３８に挿入可能となるように形成している。ツバ部４６は、型枠３６の取付け面と同一平面上に沿うように形成されている。
【００２８】
次に上記構成による本発明のスネークインサートアンカーボルトの取付けについて以下説明する。スネークインサートアンカーボルト１０の取付け方法は、まず、雌ねじ部２０に留め治具４０を取り付ける。本実施形態では、留め治具４０の雄ねじ４４を雌ねじ部２０の雌ねじに螺合させることにより取り付けることができる。なお、スネークインサートアンカーボルト１０と留め治具４０は着脱可能に形成されている。そして、アンカー本体１２の先端、すなわち第２シャフト２８の先端を型枠３６の取付け孔３８に挿入する。第２シャフト２８の軸芯は取付け孔３８に挿入可能なように直線状又は曲線状に形成されている。そして第２屈曲部２６で回転させながら、第１シャフト２４を挿入する。さらに第１屈曲部２２を回転させながら挿入すると、取付け孔３８を通り、取付け面と直交する線上に存在する鉄筋３２との干渉を避けながら、この鉄筋３２よりも深く（取付け孔３８から鉄筋３２までの距離よりも長く）鉄筋３２を回り込むように挿入することができる。
【００２９】
このような本発明のスネークインサートアンカーボルト及びその施工方法によれば、特にコンクリート構造物の施工時にコンクリートを打設する前の鉄筋の間に取り付ける先付け工法において、取付け孔を通り、取付け面と直交する線上に鉄筋が存在しても、容易に取り付けることができる。
【産業上の利用可能性】
【００３０】
本発明のスネークインサートアンカーボルトは、鉄筋を埋設したコンクリート構造物の施工時にコンクリートを打設する前の鉄筋間に取り付ける先付け工法の技術分野において特に有用である。
【符号の説明】
【００３１】
１………インサートアンカーボルト、２………鉄筋、３………型枠、４，４ａ，４ｂ………取付け孔、１０………スネークインサートアンカーボルト、１２………アンカー本体、２０………雌ねじ部、２２………第１屈曲部、２４………第１シャフト、２６………第２屈曲部、２８………第２シャフト、３０………コンクリート構造物、３２………鉄筋、３４………コンクリート、３６………型枠、３８………取付け孔、４０………留め治具、４２………治具本体、４４………雄ねじ、４６………ツバ部。
【図１】
0005867693.tif 000002
【図２】
0005867693.tif 000003
【図３】
0005867693.tif 000004
【図４】
0005867693.tif 000005
【図５】
0005867693.tif 000006